(57)【特許請求の範囲】
【請求項１】
警報箱を含み、前記警報箱の中には下方に開口したスライドチャンバが設置され、前記スライドチャンバの中にはスライドロッドがスライドできるように取り付けられ、前記スライドロッドの底面には固定台が固定的に取り付けられ、前記スライドチャンバの上方には上方に開口した昇降チャンバが設置され、前記昇降チャンバの中には昇降ロッドがスライドできるように取り付けられ、前記昇降ロッドの頂面にはライトが固定的に取り付けられ、前記昇降ロッドの下方には前記ライトを通電させて光らせることができる通電機構が設置され、前記スライドチャンバの左右両側には前記昇降ロッドと前記ライトとを上下方向に移動連動させることができる移動機構が設置され、前記昇降ロッドの底面には第一通電ブロックが固定的に取り付けられ、前記第一通電ブロックと前記昇降チャンバとがスライドできるように取り付けられ、前記昇降チャンバの左側内壁の中には第二通電ブロックが固定的に取り付けられ、前記移動機構は前記昇降ロッドを上方に移動連動させ、それによって前記第一通電ブロックが前記第二通電ブロックに貼り付き、前記通電機構が通電し、前記警報箱の左右両側には回転チャンバが設置され、前記回転チャンバの前側内壁の中には伝動ロッドが回転できるように取り付けられ、前記伝動ロッドには連結ロッドが固定的に取り付けられ、前記連結ロッドには固定ロッドが固定的に取り付けられ、前記固定ロッドの前後両側には浮きボールが固定的に固定的に取り付けられ、前記回転チャンバの後側には発電機構が設置され、前記浮きボールは海面で上下に浮動し、それによって前記伝動ロッドが回転し、前記伝動ロッドが回転することによって前記発電機構が発電することを特徴とする波動エネルギーを使用する海洋保護区の警報器。
【請求項２】
前記警報箱には浮動ブロックが固定的に取り付けられていることを特徴とする請求項１に記載の波動エネルギーを使用する海洋保護区の警報器。
【請求項３】
前記発電機構は前記回転チャンバの後側に設置されたラチェット歯車チャンバを含み、前記伝動ロッドが後方に伸びて前記ラチェット歯車チャンバの前側内壁を貫通しており、前記伝動ロッドの後側面にはラチェット歯車が固定的に取り付けられ、前記ラチェット歯車チャンバの後側内壁の中には発電器が固定的に取り付けられ、前記発電器と前記ラチェット歯車との間には動力ロッドが固定的に取り付けられ、前記発電器の後側には蓄電池が設置され、前記蓄電池と前記発電器との間には第一電線が連結されていることを特徴とする請求項１に記載の波動エネルギーを使用する海洋保護区の警報器。
【請求項４】
前記移動機構は前記スライドチャンバの左右両側に連通するように設置された歯車チャンバを含み、前記歯車チャンバの後側には噛み合いチャンバが設置され、前記歯車チャンバと前記噛み合いチャンバとの間には回転ロッドが回転できるように取り付けられ、前記回転ロッドの前側面には歯車が固定的に取り付けられ、前記歯車と前記スライドロッドとが噛み合っており、前記回転ロッドの後側面には第一傘歯車が固定的に取り付けられ、前記噛み合いチャンバの上方にはネジ山チャンバが設置され、前記ネジ山チャンバの頂壁の中には前記噛み合いチャンバの頂壁を貫通しているネジロッドが回転できるように取り付けられ、前記ネジロッドの底面には第二傘歯車が固定的に取り付けられ、前記第二傘歯車と前記第一傘歯車とが噛み合っており、前記ネジ山チャンバの中にはネジ山ブロックがスライドできるように取り付けられ、前記ネジ山ブロックと前記ネジロッドとがネジ山によって取り付けられ、前記ネジ山ブロックの片側面には移動ロッドが固定的に取り付けられ、前記移動ロッドが上方に伸びて前記警報箱の頂面を貫通しており、前記移動ロッドと前記警報箱とがスライドできるように取り付けられ、左右両側の前記移動ロッドの間には中間ロッドが固定的に取り付けられ、前記中間ロッドと前記昇降ロッドとがスライドできるように取り付けられ、前記昇降ロッドには止めブロックが上下対称的に、且つ固定的に取り付けられ、前記中間ロッドが上下両側の前記止めブロックの間に位置していることを特徴とする請求項１に記載の波動エネルギーを使用する海洋保護区の警報器。
【請求項５】
前記通電機構は前記昇降チャンバの中に回転できるように取り付けられた回転ブロックを含み、前記回転ブロックの中には矩形チャンバが設置され、前記矩形チャンバの中には補助ブロックがスライドできるように取り付けられ、前記補助ブロックは矩形であり、補助ロッドと前記回転ブロックとがスライドできるように取り付けられ、前記補助ロッドと前記補助ブロックとが固定的に取り付けられ、前記第二通電ブロックと前記蓄電池との間には第二電線が連結されていることを特徴とする請求項３に記載の波動エネルギーを使用する海洋保護区の警報器。
【請求項６】
前記昇降チャンバの中には動力チャンバが連通するように設置され、前記矩形チャンバには前記動力チャンバが固定的に取り付けられ、前記動力チャンバの左側内壁の中にはモーターが固定的に取り付けられ、前記モーターの右向きの出力軸の右側面にはモーターロッドが固定的に取り付けられ、前記モーターロッドの右側面には第四傘歯車が固定的に取り付けられ、前記第四傘歯車が第三傘歯車と噛み合っており、前記第一通電ブロックと前記モーターとの間には第三電線が連結されていることを特徴とする請求項５に記載の波動エネルギーを使用する海洋保護区の警報器。
【請求項７】
前記固定台にはヒンジロッドが左右対称的にヒンジで連結され、前記警報箱の中にはリミットロッドが左右対称的にヒンジで連結され、前記リミットロッドの中にはリミットチャンバが設置され、前記リミットチャンバと前記ヒンジロッドとがスライドできるように取り付けられていることを特徴とする請求項１に記載の波動エネルギーを使用する海洋保護区の警報器。
【請求項８】
前記固定台は防腐材料で作られ、質量が大きいことを特徴とする請求項１に記載の波動エネルギーを使用する海洋保護区の警報器。
【発明の詳細な説明】
【技術分野】
【０００１】
本発明は警報器技術分野に関わり、具体的には波動エネルギーを使用する海洋保護区の警報器である。
【背景技術】
【０００２】
波動エネルギーは海洋エネルギーの具体的な形態の一つであれば、海洋エネルギーの中で一番主要なエネルギーの一つであり、波動エネルギーへの開発と利用はエネルギーの危機を緩和することと環境汚染を減少することに非常に重要であり、波動エネルギーで発電することは波のエネルギーを動力として電気エネルギーを生み出すのである。一般的に、海洋保護区の警報器は海洋が潮の満ちた時の状態を早期に警戒を出せなく、それは従業員は潮の満ちた時にも海洋保護区で仕事をし、一定程度の危険性があり、また一般的な海洋保護区の警報器は波のエネルギーを利用して発電する機能を備えていない。
【先行技術文献】
【特許文献】
【０００３】
【特許文献１】中国特許出願公開第１０４７６６４４８号明細書
【発明の概要】
【発明が解決しようとする課題】
【０００４】
本発明は波動エネルギーを使用する海洋保護区の警報器を提供し、既存技術にある上記欠点を解消することを目的とする。
【課題を解決するための手段】
【０００５】
本発明の実施例の波動エネルギーを使用する海洋保護区の警報器は、警報箱を含み、前記警報箱の中には下方に開口したスライドチャンバが設置され、前記スライドチャンバの中にはスライドロッドがスライドできるように取り付けられ、前記スライドロッドの底面には固定台が固定的に取り付けられ、前記スライドチャンバの上方には上方に開口した昇降チャンバが設置され、前記昇降チャンバの中には昇降ロッドがスライドできるように取り付けられ、前記昇降ロッドの頂面にはライトが固定的に取り付けられ、前記昇降ロッドの下方には前記ライトを通電させて光らせることができる通電機構が設置され、前記スライドチャンバの左右両側には前記昇降ロッドと前記ライトとを上下方向に移動連動させることができる移動機構が設置され、前記昇降ロッドの底面には第一通電ブロックが固定的に取り付けられ、前記第一通電ブロックと前記昇降チャンバとがスライドできるように取り付けられ、前記昇降チャンバの左側内壁の中には第二通電ブロックが固定的に取り付けられ、前記移動機構は前記昇降ロッドを上方に移動連動させ、それによって前記第一通電ブロックが前記第二通電ブロックに貼り付き、前記通電機構が通電する。
【０００６】
前記警報箱の左右両側には回転チャンバが設置され、前記回転チャンバの前側内壁の中には伝動ロッドが回転できるように取り付けられ、前記伝動ロッドには連結ロッドが固定的に取り付けられ、前記連結ロッドには固定ロッドが固定的に取り付けられ、前記固定ロッドの前後両側には浮きボールが固定的に取り付けられ、前記回転チャンバの後側には発電機構が設置され、前記浮きボールは海面で上下に浮動し、それによって前記伝動ロッドが回転し、前記伝動ロッドが回転することによって前記発電機構が発電する。
【０００７】
上記の技術プランに基づいて、前記警報箱には浮動ブロックが固定的に取り付けられている。
【０００８】
上記の技術プランに基づいて、前記発電機構は前記回転チャンバの後側に設置されたラチェット歯車チャンバを含み、前記伝動ロッドが後方に伸びて前記ラチェット歯車チャンバの前側内壁を貫通しており、前記伝動ロッドの後側面にはラチェット歯車が固定的に取り付けられ、前記ラチェット歯車チャンバの後側内壁の中には発電器が固定的に取り付けられ、前記発電器と前記ラチェット歯車との間には動力ロッドが固定的に取り付けられ、前記発電器の後側には蓄電池が設置され、前記蓄電池と前記発電器との間には第一電線が連結されている。
【０００９】
上記の技術プランに基づいて、前記移動機構は前記スライドチャンバの左右両側に連通するように設置された歯車チャンバを含み、前記歯車チャンバの後側には噛み合いチャンバが設置され、前記歯車チャンバと前記噛み合いチャンバとの間には回転ロッドが回転できるように取り付けられ、前記回転ロッドの前側面には歯車が固定的に取り付けられ、前記歯車と前記スライドロッドとが噛み合っており、前記回転ロッドの後側面には第一傘歯車が固定的に取り付けられ、前記噛み合いチャンバの上方にはネジ山チャンバが設置され、前記ネジ山チャンバの頂壁の中には前記噛み合いチャンバの頂壁を貫通しているネジロッドが回転できるように取り付けられ、前記ネジロッドの底面には第二傘歯車が固定的に取り付けられ、前記第二傘歯車と前記第一傘歯車とが噛み合っており、前記ネジ山チャンバの中にはネジ山ブロックがスライドできるように取り付けられ、前記ネジ山ブロックと前記ネジロッドとがネジ山によって取り付けられ、前記ネジ山ブロックの片側面には移動ロッドが固定的に取り付けられ、前記移動ロッドが上方に伸びて前記警報箱の頂面を貫通しており、前記移動ロッドと前記警報箱とがスライドできるように取り付けられ、左右両側の前記移動ロッドの間には中間ロッドが固定的に取り付けられ、前記中間ロッドと前記昇降ロッドとがスライドできるように取り付けられ、前記昇降ロッドには止めブロックが上下対称的に、且つ固定的に取り付けられ、前記中間ロッドが上下両側の前記止めブロックの間に位置している。
【００１０】
上記の技術プランに基づいて、前記通電機構は前記昇降チャンバの中に回転できるように取り付けられた回転ブロックを含み、前記回転ブロックの中には矩形チャンバが設置され、前記矩形チャンバの中には補助ブロックがスライドできるように取り付けられ、前記補助ブロックは矩形であり、補助ロッドと前記回転ブロックとがスライドできるように取り付けられ、前記補助ロッドと前記補助ブロックとが固定的に取り付けられ、前記第二通電ブロックと前記蓄電池との間には第二電線が連結されている。
【００１１】
上記の技術プランに基づいて、前記昇降チャンバの中には動力チャンバが連通するように設置され、前記矩形チャンバには前記動力チャンバが固定的に取り付けられ、前記動力チャンバの左側内壁の中にはモーターが固定的に取り付けられ、前記モーターの右向きの出力軸の右側面にはモーターロッドが固定的に取り付けられ、前記モーターロッドの右側面には第四傘歯車が固定的に取り付けられ、前記第四傘歯車が第三傘歯車と噛み合っており、前記第一通電ブロックと前記モーターとの間には第三電線が連結されている。
【００１２】
上記の技術プランに基づいて、前記固定台にはヒンジロッドが左右対称的にヒンジで連結され、前記警報箱の中にはリミットロッドが左右対称的にヒンジで連結され、前記リミットロッドの中にはリミットチャンバが設置され、前記リミットチャンバと前記ヒンジロッドとがスライドできるように取り付けられている。
【００１３】
上記の技術プランに基づいて、前記固定台は防腐材料で作られ、質量が大きい。
【発明の効果】
【００１４】
本発明の有益な効果は：本発明は潮が満ちている時、浮動ブロックの浮力に頼って警報箱を上方に移動連動させ、それによって移動機構は昇降ロッドとライトとを上方に移動連動させ、その後、通電機構の中に第二通電ブロックが第一通電ブロックに貼り付き、蓄電池は第三電線と第二電線とによってライト及びモーターに電力を提供し、それによってライトが光り、また、モーターは回転ブロックによってライトを回転連動させ、潮が満ちている時に、従業員に注意し、従業員の安全を保障でき、発電機構の中の浮きボールは海面を漂い、海面の波によって浮きボールを上下に移動連動させ、発電器によって発電し、電気エネルギーを第一電線によって蓄電池の中に貯蔵し、普及する価値がある。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の構成概略図
【図２】図２は本発明の図１の中のＡ―Ａ方向の断面構成概略図
【図３】図３は本発明の図１の中のＢ―Ｂ方向の断面構成概略図
【図４】図４は本発明の図１の中のＣのところの拡大概略図
【図５】図５は本発明の中の浮動ブロックの平面構成概略図
【図６】図６は本発明の図１の中のＤ―Ｄ方向の断面構成概略図
【発明を実施するための形態】
【００１７】
図１〜６を参照し、本発明の実施例の波動エネルギーを使用する海洋保護区の警報器は、警報箱２２を含み、前記警報箱２２の中には下方に開口したスライドチャンバ５５が設置され、前記スライドチャンバ５５の中にはスライドロッド１１がスライドできるように取り付けられ、前記スライドロッド１１の底面には固定台１２が固定的に取り付けられ、前記スライドチャンバ５５の上方には上方に開口した昇降チャンバ４８が設置され、前記昇降チャンバ４８の中には昇降ロッド２５がスライドできるように取り付けられ、前記昇降ロッド２５の頂面にはライト２４が固定的に取り付けられ、前記昇降ロッド２５の下方には前記ライト２４を通電させて光らせることができる通電機構１０１が設置され、前記スライドチャンバ５５の左右両側には前記昇降ロッド２５と前記ライト２４とを上下方向に移動連動させることができる移動機構１０２が設置され、前記昇降ロッド２５の底面には第一通電ブロック４７が固定的に取り付けられ、前記第一通電ブロック４７と前記昇降チャンバ４８とがスライドできるように取り付けられ、前記昇降チャンバ４８の左側内壁の中には第二通電ブロック４５が固定的に取り付けられ、前記移動機構１０２は前記昇降ロッド２５を上方に移動連動させ、それによって前記第一通電ブロック４７が前記第二通電ブロック４５に貼り付き、前記通電機構１０１が通電し、前記警報箱２２の左右両側には回転チャンバ２１が設置され、前記回転チャンバ２１の前側内壁の中には伝動ロッド３６が回転できるように取り付けられ、前記伝動ロッド３６には連結ロッド２０が固定的に取り付けられ、前記連結ロッド２０には固定ロッド５４が固定的に取り付けられ、前記固定ロッド５４の前後両側には浮きボール１８が固定的に取り付けられ、前記回転チャンバ２１の後側には発電機構１０３が設置され、前記浮きボール１８は海面で上下に浮動し、それによって前記伝動ロッド３６が回転し、前記伝動ロッド３６が回転することによって前記発電機構１０３が発電する。
【００１８】
また、一つの実施例の中に、前記警報箱２２には浮動ブロック１９が固定的に取り付けられ、
前記浮動ブロック１９は前記警報箱２２に浮力を提供し、それによって前記警報箱２２は海面を漂うことができる。
【００１９】
また、一つの実施例の中に、前記発電機構１０３は前記回転チャンバ２１の後側に設置されたラチェット歯車チャンバ３４を含み、前記伝動ロッド３６が後方に伸びて前記ラチェット歯車チャンバ３４の前側内壁を貫通しており、前記伝動ロッド３６の後側面にはラチェット歯車３５が固定的に取り付けられ、前記ラチェット歯車チャンバ３４の後側内壁の中には発電器３３が固定的に取り付けられ、前記発電器３３と前記ラチェット歯車３５との間には動力ロッド３７が固定的に取り付けられ、前記発電器３３の後側には蓄電池３１が設置され、前記蓄電池３１と前記発電器３３との間には第一電線３２が連結され、
海面で波が引き起こされると、前記浮きボール１８が上方に移動し、前記浮きボール１８は前記連結ロッド２０によって前記伝動ロッド３６を回転連動させ、前記伝動ロッド３６は前記ラチェット歯車３５によって前記動力ロッド３７を回転連動させ、前記動力ロッド３７が回転して前記発電器３３に動力を与え、それによって前記発電器３３が発電し、前記発電器３３が発電した後、前記第一電線３２によって電気エネルギーを前記蓄電池３１の中に貯蔵し、前記浮きボール１８が下方に移動すると、前記伝動ロッド３６が前記ラチェット歯車３５によって前記動力ロッド３７を回転連動させなくなる。
【００２０】
また、一つの実施例の中に、前記移動機構１０２は前記スライドチャンバ５５の左右両側に連通するように設置された歯車チャンバ３０を含み、前記歯車チャンバ３０の後側には噛み合いチャンバ３９が設置され、前記歯車チャンバ３０と前記噛み合いチャンバ３９との間には回転ロッド１３が回転できるように取り付けられ、前記回転ロッド１３の前側面には歯車２９が固定的に取り付けられ、前記歯車２９と前記スライドロッド１１とが噛み合っており、前記回転ロッド１３の後側面には第一傘歯車４０が固定的に取り付けられ、前記噛み合いチャンバ３９の上方にはネジ山チャンバ２７が設置され、前記ネジ山チャンバ２７の頂壁の中には前記噛み合いチャンバ３９の頂壁を貫通しているネジロッド１７が回転できるように取り付けられ、前記ネジロッド１７の底面には第二傘歯車３８が固定的に取り付けられ、前記第二傘歯車３８と前記第一傘歯車４０とが噛み合っており、前記ネジ山チャンバ２７の中にはネジ山ブロック２８がスライドできるように取り付けられ、前記ネジ山ブロック２８と前記ネジロッド１７とがネジ山によって取り付けられ、前記ネジ山ブロック２８の片側面には移動ロッド２６が固定的に取り付けられ、前記移動ロッド２６が上方に伸びて前記警報箱２２の頂面を貫通しており、前記移動ロッド２６と前記警報箱２２とがスライドできるように取り付けられ、左右両側の前記移動ロッド２６の間には中間ロッド６１が固定的に取り付けられ、前記中間ロッド６１と前記昇降ロッド２５とがスライドできるように取り付けられ、前記昇降ロッド２５には止めブロック２３が上下対称的に、且つ固定的に取り付けられ、前記中間ロッド６１が上下両側の前記止めブロック２３の間に位置しており、
潮が満ちている時、前記浮動ブロック１９は前記警報箱２２を上方に移動連動させることができ、それによって前記スライドロッド１１が前記スライドチャンバ５５の中でスライドし、前記スライドロッド１１が前記歯車２９と前記回転ロッド１３とを回転連動させ、前記回転ロッド１３が前記第一傘歯車４０と前記第二傘歯車３８の噛み合いによって前記ネジロッド１７を回転連動させ、前記ネジロッド１７が回転することによって前記ネジ山ブロック２８と前記移動ロッド２６とを上方に移動させ、前記移動ロッド２６が前記中間ロッド６１と前記止めブロック２３とによって前記昇降ロッド２５を上方に移動連動させ、それによって前記第一通電ブロック４７が前記第二通電ブロック４５に貼り付く。
【００２１】
また、一つの実施例の中に、前記通電機構１０１は前記昇降チャンバ４８の中に回転できるように取り付けられた回転ブロック５６を含み、前記回転ブロック５６には第三傘歯車５３が固定的に取り付けられ、前記回転ブロック５６の中には矩形チャンバ５１が設置され、前記矩形チャンバ５１の中には補助ブロック５７がスライドできるように取り付けられ、前記補助ブロック５７は矩形であり、補助ロッド５０と前記回転ブロック５６とがスライドできるように取り付けられ、前記補助ロッド５０と前記補助ブロック５７とが固定的に取り付けられ、前記第二通電ブロック４５と前記蓄電池３１との間には第二電線６０が連結され、
前記第二通電ブロック４５が前記第一通電４７に貼り付きた時、前記蓄電池３１が前記第二電線６０によって前記ライト２４を光らせる。
【００２２】
また、一つの実施例の中に、前記昇降チャンバ４８の中には動力チャンバ５２が連通するように設置され、前記矩形チャンバ５１には前記動力チャンバ５２が固定的に取り付けられ、前記動力チャンバ５２の左側内壁の中にはモーター４３が固定的に取り付けられ、前記モーター４３の右向きの出力軸の右側面にはモーターロッド４２が固定的に取り付けられ、前記モーターロッド４２の右側面には第四傘歯車４１が固定的に取り付けられ、前記第四傘歯車４１が前記第三傘歯車５３と噛み合っており、前記第一通電ブロック４７と前記モーター４３との間には第三電線４４が連結され、
前記第二通電ブロック４５が前記第一通電ブロック４７に貼り付きた時、前記蓄電池３１が前記第三電線４４によって前記モーター４３を始動し、前記モーター４３が前記モーターロッド４２と前記第四傘歯車４１とを回転連動させ、前記第四傘歯車４１が前記第三傘歯車５３との噛み合いによって前記回転ブロック５６を回転連動させ、前記回転ブロック５６が回転して前記補助ブロック５７によって前記昇降ロッド２５と前記ライト２４とを回転連動させる。
【００２３】
また、一つの実施例の中に、前記固定台１２にはヒンジロッド１４が左右対称的にヒンジで連結され、前記警報箱２２の中にはリミットロッド１６が左右対称的にヒンジで連結され、前記リミットロッド１６の中にはリミットチャンバ１５が設置され、前記リミットチャンバ１５と前記ヒンジロッド１４とがスライドできるように取り付けられ、
前記リミットロッド１６と前記ヒンジロッド１４とが前記警報箱２２の安定性を向上させるだけではなく、前記警報箱２２が上方に移動する距離を制限する。
【００２４】
また、一つの実施例の中に、前記固定台１２は防腐材料で作られ、質量が大きく、深度が浅い海洋保護区の区域に安定的に置かれることができる。
【００２５】
海面で波が引き起こされると、前記浮きボール１８が上方に移動し、前記浮きボール１８は前記連結ロッド２０によって前記伝動ロッド３６を回転連動させ、前記伝動ロッド３６は前記ラチェット歯車３５によって前記動力ロッド３７を回転連動させ、前記動力ロッド３７が回転して前記発電器３３に動力を与え、それによって前記発電器３３が発電し、前記発電器３３が発電した後、前記第一電線３２によって電気エネルギーを前記蓄電池３１の中に貯蔵し、前記浮きボール１８が下方に移動すると、前記伝動ロッド３６が前記ラチェット歯車３５によって前記動力ロッド３７を回転連動させなくなり、潮が満ちている時、前記浮動ブロック１９は前記警報箱２２を上方に移動連動させることができ、それによって前記スライドロッド１１が前記スライドチャンバ５５の中でスライドし、前記スライドロッド１１が前記歯車２９と前記回転ロッド１３とを回転連動させ、前記回転ロッド１３が前記第一傘歯車４０と前記第二傘歯車３８の噛み合いによって前記ネジロッド１７を回転連動させ、前記ネジロッド１７が回転することによって前記ネジ山ブロック２８と前記移動ロッド２６とを上方に移動させ、前記移動ロッド２６が前記中間ロッド６１と前記止めブロック２３とによって前記昇降ロッド２５を上方に移動連動させ、それによって前記第一通電ブロック４７が前記第二通電ブロック４５に貼り付き、前記第二通電ブロック４５が前記第一通電４７に貼り付きた時、前記蓄電池３１が前記第二電線６０によって前記ライト２４を光らせ、前記蓄電池３１が前記第三電線４４によって前記モーター４３を始動し、前記モーター４３が前記モーターロッド４２と前記第四傘歯車４１とを回転連動させ、前記第四傘歯車４１が前記第三傘歯車５３との噛み合いによって前記回転ブロック５６を回転連動させ、前記回転ブロック５６が回転して前記補助ブロック５７によって前記昇降ロッド２５と前記ライト２４とを回転連動させる。
【００２６】
本発明の有益な効果は：本発明は潮が満ちている時、浮動ブロックの浮力に頼って警報箱を上方に移動連動させ、それによって移動機構は昇降ロッドとライトとを上方に移動連動させ、その後、通電機構の中に第二通電ブロックが第一通電ブロックに貼り付き、蓄電池は第三電線と第二電線とによってライト及びモーターに電力を提供し、それによってライトが光り、また、モーターは回転ブロックによってライトを回転連動させ、潮が満ちている時に、従業員に注意し、従業員の安全を保障でき、発電機構の中の浮きボールは海面を漂い、海面の波によって浮きボールを上下に移動連動させ、発電器によって発電し、電気エネルギーを第一電線によって蓄電池の中に貯蔵し、普及する価値がある。
【００２７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【要約】
【課題】本発明は波動エネルギーを使用する海洋保護区の警報器を開示した。
【解決手段】
警報箱を含み、前記警報箱の中には下方に開口したスライドチャンバが設置され、潮が満ちている時、浮動ブロックの浮力に頼って警報箱を上方に移動連動させ、それによって移動機構は昇降ロッドとライトとを上方に移動連動させ、その後、通電機構の中に第二通電ブロックが第一通電ブロックに貼り付き、蓄電池は第三電線と第二電線とによってライト及びモーターに電力を提供し、それによってライトが光り、また、モーターは回転ブロックによってライトを回転連動させ、潮が満ちている時に、従業員に注意し、従業員の安全を保障でき、発電機構の中の浮きボールは海面を漂い、海面の波によって浮きボールを上下に移動連動させ、発電器によって発電し、電気エネルギーを第一電線によって蓄電池の中に貯蔵する。
【選択図】図１【図１】
0006807498.tif 000002
【図２】
0006807498.tif 000003
【図３】
0006807498.tif 000004
【図４】
0006807498.tif 000005
【図５】
0006807498.tif 000006
【図６】
0006807498.tif 000007